(57)【要約】【課題】需要者の意識を夜間電力の使用に導くと共に、夜間電力の使用促進を効率的に行うことができる使用電力量に対する懸賞付与システムを提供する。【解決手段】電力の使用電力量に対する懸賞の応募に対する募集要件として懸賞期間及び懸賞資格を決定する募集要件決定手段３１、募集要件に対する告知を行うと共に需要者からの懸賞に対する応募を受け付ける応募受付手段３２、需要者ごとの日単位における所定の時間帯の計測された電力量を取得する電力量取得手段３３、需要者ごとの夜間の使用電力量を示す夜間使用率を算出すると共に、懸賞期間における夜間使用率を所定の期間に掲載する夜間使用率管理手段３４、夜間使用率が所定の基準を超えている需要者に対して懸賞に対する懸賞資格を付与する懸賞資格付与手段３５を具備する。【選択図】        図２
2007148929.tif 000002
【特許請求の範囲】
【請求項１】
夜間電力が計測できるメータが設置された需要者における電力の使用電力量に対して懸賞を付与する懸賞付与システムであって、
電力の使用電力量に対する懸賞の応募に対する募集要件として懸賞期間及び懸賞資格を決定する募集要件決定手段と、
ネットワークを介して前記募集要件に対する告知を前記需要者に行うと共に、当該需要者からの懸賞に対する応募を受け付ける応募受付手段と、
前記需要者ごとの日単位における所定の時間帯の計測された電力量を取得する電力量取得手段と、
前記需要者ごとの夜間の使用電力量を示す夜間使用率を算出すると共に、前記募集要件決定手段で決定した懸賞期間における当該夜間使用率を所定の期間に掲載する夜間使用率管理手段と、
前記夜間使用率が所定の基準を超えている需要者に対して前記懸賞に対する懸賞資格を付与する懸賞資格付与手段とを具備することを特徴とする使用電力量に対する懸賞付与システム。
【請求項２】
請求項１に記載の使用電力量に対する懸賞付与システムにおいて、前記夜間使用率管理手段は、前記需要者の過去数ヶ月間の前記夜間使用率の平均値を基準として、当該基準に対するアップ率を改善率として算出すると共に、前記懸賞資格付与手段は、当該改善率に基づいて前記懸賞資格を付与することを特徴とする使用電力量に対する懸賞付与システム。
【請求項３】
請求項１又は２に記載の使用電力量に対する懸賞付与システムにおいて、前記夜間使用率管理手段は、日々の使用状況に応じて変化する電力量に基づいて、前記需要者ごとの夜間使用率における順位をランキングとして通知すると共に、当該ランキングを日単位で更新することを特徴とする使用電力量に対する懸賞付与システム。
【請求項４】
請求項１〜３の何れかに記載の使用電力量に対する懸賞付与システムにおいて、少なくとも、前記需要者に関する需要者情報、当該需要者ごとに取得した前記電力量、当該需要者ごとに算出した前記夜間使用率、前記需要者ごとのランキング、及び前記懸賞資格を付与した需要者に関する情報を格納するデータベースをさらに具備することを特徴とする使用電力量に対する懸賞付与システム。
【請求項５】
請求項１〜４の何れかに記載の使用電力量に対する懸賞付与システムにおいて、前記電力量取得手段は、一般家庭に設置されたメータ又は一定の設備に設置されて高圧一括受電で供給される電力の使用電力量を計測する各子メータから電力量を取得することを特徴とする使用電力量に対する懸賞付与システム。
【請求項６】
請求項１〜５の何れかに記載の使用電力量に対する懸賞付与システムにおいて、前記懸賞はランダム又は規則的に行われる抽選により提供されることを特徴とする使用電力量に対する懸賞付与システム。
【発明の詳細な説明】
【技術分野】
【０００１】
本発明は、夜間電力が計測できるメータが設置された需要者における電力の使用電力量に対して懸賞を付与する使用電力量に対する懸賞付与システムに関する。
【背景技術】
【０００２】
近年の環境の変化に伴い、例えば、電力の使用状況に対する取り組みが活発化してきている。特に、近年普及している電化住宅（例えば、オール電化住宅）においては、電力を使用する時間帯によって電力料金が著しく異なってくる。すなわち、例えば、２３時から８時までの使用に設定されている夜間電力と８時から２３時までの使用に設定されている通常電力とでは、かかる料金が大幅に異なってくるため、企業の資源面又は需要者の経済面において損失が大きかった。
【０００３】
特に料金については、夜間電力が安く通常電力が高いという認識は、浸透しているものの、実際に夜間電力を意識的に使用する需要者は限られており、又、全ての需要者の意識を夜間電力に向けるには限界があった。すなわち、夜間電力がお得であると分かっていながらも、需要者の意識が夜間電力を使用する方向に向いていないという状況があった。
【０００４】
また、例えば、販売キャンペーンを行う電気機器を購入した人を対象に懸賞を行うなどのサービスを提供しているが、機器購入後に電力を使用していることに対する需要者へのサービスが手薄となっているため、現状のサービス体系では電力の使用状況を変化させることに結びついていなかった。
【０００５】
このような状況下において、例えば、需要者に対するサービスを活用することで、需要者の夜間電力に対する使用意欲を促進させて効率よく電力を使用させることができるシステムの構築が望まれていた。
【０００６】
また、人の意識向上に対してサービスを活用する技術として、例えば、情報の募集者が自分が得たい事項に対し、所望の情報を提供した提供者にのみ懸賞金を送ることで情報の流通を促進させるための情報流通システム（特許文献１参照）、及び企業などが消費者に対し商品やサービスを広告宣伝し、その効果を上げるための景品企画に応募させて結果を通知することで消費を活発化させる電子システム（特許文献２参照）などが提案されている。しかしながら、何れの技術も電力を前提としたサービスではないため、電力の使用状況を変化させる手法としてそのまま適用することは困難であった。
【０００７】
【特許文献１】特開２００２−０２４５９５号公報
【特許文献２】特開２００１−３３７９０７号公報
【発明の開示】
【発明が解決しようとする課題】
【０００８】
本発明はこのような事情に鑑み、ネットワークを活用して需要者の意識を夜間電力の使用に導くと共に、夜間電力の使用促進を効率的に行うことができる使用電力量に対する懸賞付与システムを提供することを課題とする。
【課題を解決するための手段】
【０００９】
上記課題を解決する本発明の第１の態様は、夜間電力が計測できるメータが設置された需要者における電力の使用電力量に対して懸賞を付与する懸賞付与システムであって、電力の使用電力量に対する懸賞の応募に対する募集要件として懸賞期間及び懸賞資格を決定する募集要件決定手段と、ネットワークを介して前記募集要件に対する告知を前記需要者に行うと共に、当該需要者からの懸賞に対する応募を受け付ける応募受付手段と、前記需要者ごとの日単位における所定の時間帯の計測された電力量を取得する電力量取得手段と、前記需要者ごとの夜間の使用電力量を示す夜間使用率を算出すると共に、前記募集要件決定手段で決定した懸賞期間における当該夜間使用率を所定の期間に掲載する夜間使用率管理手段と、前記夜間使用率が所定の基準を超えている需要者に対して前記懸賞に対する懸賞資格を付与する懸賞資格付与手段とを具備することを特徴とする使用電力量に対する懸賞付与システムにある。
【００１０】
かかる第１の態様では、電力の使用電力量に対する懸賞の応募に対する募集要件が決定され、その募集要件に対する告知を行った需要者からの応募が受け付けられ、需要者ごとの夜間の使用電力量を示す夜間使用率が算出されて、その夜間使用率が所定の基準を超えている需要者に対して懸賞に対する懸賞資格が付与される。これにより、応募者である需要者の意識を夜間電力の使用に導くと共に、夜間電力の使用促進を効率的に行うことが可能となる。
【００１１】
本発明の第２の態様は、第１の態様に記載の使用電力量に対する懸賞付与システムにおいて、前記夜間使用率管理手段は、前記需要者の過去数ヶ月間の前記夜間使用率の平均値を基準として、当該基準に対するアップ率を改善率として算出すると共に、前記懸賞資格付与手段は、当該改善率に基づいて前記懸賞資格を付与することを特徴とする使用電力量に対する懸賞付与システムにある。
【００１２】
かかる第２の態様では、需要者の過去数ヶ月間の夜間使用率の平均値を基準として、その基準に対するアップ率が改善率として算出されると共に、算出した改善率に基づいて懸賞資格が付与される。これにより、より効率的に夜間電力の使用促進を行うことが可能となる。
【００１３】
本発明の第３の態様は、第１又は２の態様に記載の使用電力量に対する懸賞付与システムにおいて、前記夜間使用率管理手段は、日々の使用状況に応じて変化する電力量に基づいて、前記需要者ごとの夜間使用率における順位をランキングとして通知すると共に、当該ランキングを日単位で更新することを特徴とする使用電力量に対する懸賞付与システムにある。
【００１４】
かかる第３の態様では、日々の使用状況に応じて変化する電力量に基づいて、需要者ごとの夜間使用率における順位がランキングとして通知されると共に、そのランキングが日単位で更新される。これにより、より需要者の意識を夜間電力の使用に導くことが可能となる。
【００１５】
本発明の第４の態様は、第１〜３の態様の何れかに記載の使用電力量に対する懸賞付与システムにおいて、少なくとも、前記需要者に関する需要者情報、当該需要者ごとに取得した前記電力量、当該需要者ごとに算出した前記夜間使用率、前記需要者ごとのランキング、及び前記懸賞資格を付与した需要者に関する情報を格納するデータベースをさらに具備することを特徴とする使用電力量に対する懸賞付与システムにある。
【００１６】
かかる第４の態様では、需要者に関する需要者情報、需要者ごとに取得した電力量、需要者ごとに算出した夜間使用率、需要者ごとのランキング、及び懸賞資格を付与した需要者に関する情報がデータベースに格納されて管理される。これにより、例えば、管理されている各種情報を将来的なサービスの促進に活用することもできるため、より効率的に夜間電力の使用促進を行うことが可能となる。
【００１７】
本発明の第５の態様は、第１〜４の態様の何れかに記載の使用電力量に対する懸賞付与システムにおいて、前記電力量取得手段は、一般家庭に設置されたメータ又は一定の設備に設置されて高圧一括受電で供給される電力の使用電力量を計測する各子メータから電力量を取得することを特徴とする使用電力量に対する懸賞付与システムにある。
【００１８】
かかる第５の態様では、一般家庭に設置されたメータ又は一定の設備に設置されて高圧一括受電で供給される電力の使用電力量を計測する各子メータから電力量が取得される。これにより、種々の使用形態に応じて、効率的に夜間電力の使用促進を行うことが可能となる。
【００１９】
本発明の第６の態様は、第１〜５の態様の何れかに記載の使用電力量に対する懸賞付与システムにおいて、前記懸賞はランダム又は規則的に行われる抽選により提供されることを特徴とする使用電力量に対する懸賞付与システムにある。
【００２０】
かかる第６の態様では、懸賞がランダム又は規則的に行われる抽選により提供される。これにより、電力を使用している需要者に対するサービスを充実させることができると共に、より需要者の意識を夜間電力の使用に導くことが可能となる。
【発明の効果】
【００２１】
本発明によれば、需要者に対するサービスを懸賞により活用することで需要者の夜間電力に対する使用意欲が促進させるため、需要者の意識を夜間電力の使用に導くと共に、夜間電力の使用促進を効率的に行うことができる使用電力量に対する懸賞付与システムを提供することが可能となる。
【発明を実施するための最良の形態】
【００２２】
以下、図面を用いて本発明を実施するための最良の形態について説明する。なお、本実施形態の説明は例示であり、本発明の構成は以下の説明に限定されない。
【００２３】
本実施形態では、ネットワークを活用して需要者の意識を夜間電力の使用に導くと共に、夜間電力の使用促進を効率的に行うことができる使用電力量に対する懸賞付与システムを実現するものである。これにより、需要者の夜間電力に対する使用意欲を促進させて効率よく電力を使用させることも可能となる。
【００２４】
図１は、本発明の一実施形態に係る使用電力量に対する懸賞付与システムの概略構成を示す図である。なお、本実施形態では、電力会社のサービスセンタが複数の電化住宅に対して実施するサービスを例示している。
【００２５】
図示するように、本実施形態の懸賞付与システム１は、需要者２が保持する端末２０と電力会社３のサービスセンタが保持する懸賞付与サーバ３０とがネットワーク１０を介してそれぞれ接続されている。そして、需要者２側には、夜間電力が測定できるメータ２１が設置されている。このようなメータ２１としては、例えば、２時間帯計量器などを挙げることができる。また、メータ２１には、電力の使用電力量が所定の単位で自動的に取得できるもの、すなわち自動検針できるものを想定している。
【００２６】
このような構成により、電力会社３側では、複数の需要者２に対して夜間電力に対する使用意欲を促進させるためのネットワーク１０を介した各種サービスを提供することが可能となる。
【００２７】
ここで、懸賞付与サーバ３０について説明する。図２は、本発明の一実施形態に係る懸賞付与サーバ３０のシステム構成を示す図である。
【００２８】
図示するように、懸賞付与サーバ３０は、募集要件決定手段３１、応募受付手段３２、電力量取得手段３３、夜間使用率管理手段３４、懸賞資格付与手段３５、及びデータベース（「ＤＢ」と図示する）３６を含み構成されている。
【００２９】
募集要件決定手段３１は、電力の使用電力量に対する懸賞の応募に対する募集要件として懸賞期間及び懸賞資格を決定する。ここでいう懸賞期間とは、例えば、夏又は冬などの季節で区切った３ヶ月間をターゲットとするなどして適宜決定される。一方、懸賞資格とは、例えば、懸賞を付与する基準、人数、及び地域などマーケティングで活用できるあらゆる要素から決定される。これにより、例えば、夜間電力の使用率をアップさせる方法を踏まえた上で決定される要件に基づいて、需要者２は電化住宅ならではの電力の使用に対する工夫がし易くなる。
【００３０】
応募受付手段３２は、募集要件に対する告知を需要者２に行うと共に、需要者２からの懸賞に対する応募を受け付ける。具体的には、需要者２が保持する端末２０からネットワーク１０を介してウェブ上で応募を受け付ける。このとき、需要者２に対しては、後述するウェブ画面を閲覧する際に使用する応募者ＩＤ又はパスワードを付与するようにしてもよい。また、募集要件に対する告知では、懸賞のルールやメリットなどの情報も同時に提供するようにすればよい。
【００３１】
電力量取得手段３３は、需要者２ごとの日単位における所定の時間帯の計測された電力量を取得する。ここで電力量は、一般家庭に設置されたメータ２１から自動的にメータ指針が検針されることで取得される。このようなメータ２１としては、自動検針機能が付加されたものであればよい。
【００３２】
夜間使用率管理手段３４は、需要者２ごとの夜間の使用電力量を示す夜間使用率を算出すると共に、募集要件決定手段３１で決定した懸賞期間における夜間使用率を所定の期間に掲載する。すなわち、電力会社３が管理するウェブ上で需要者２ごとの現状の夜間使用率を掲載する。これにより、各需要者２は、自身の夜間使用率を確認することが可能となる。この場合、例えば、応募者ＩＤやパスワード認証などにより、懸賞に対する応募を受け付けた需要者のみが所定のウェブ画面を閲覧できるように構成すればよい。また、夜間使用率管理手段３４は、需要者２の過去数ヶ月間の夜間使用率の平均値を基準として、その基準に対するアップ率を改善率として算出する。このとき、例えば、改善率をポイントとして換算して管理するようにしてもよい。そして、夜間使用率管理手段３４は、日々の使用状況に応じて変化する電力量に基づいて、需要者２ごとの夜間使用率における順位をランキングとして通知すると共に、そのランキングを日単位で更新する。
【００３３】
懸賞資格付与手段３５は、夜間使用率が所定の基準を超えている需要者２に対して懸賞に対する懸賞資格を付与する。また、夜間使用率管理手段３４が改善率を算出した場合には、懸賞資格付与手段３５は、その改善率に基づいて懸賞資格を付与することになる。
【００３４】
データベース３６は、少なくとも、需要者２に関する需要者情報、需要者２ごとに取得した電力量、需要者２ごとに算出した夜間使用率、需要者２ごとのランキング、及び懸賞資格を付与した需要者２に関する情報を格納する。
【００３５】
このような構成により、懸賞がランダム又は規則的に行われる抽選により提供されることになる。例えば、データベース３６に格納されている懸賞資格を付与した需要者２を選定して懸賞を提供するようにすればよい。
【００３６】
次に、懸賞付与システム１の動作手順について説明する。図３は、本発明の一実施形態に係る懸賞付与システムの通信シーケンスを示す図である。
【００３７】
図示するように、まず、電力会社３の懸賞付与サーバ３０で募集要件が決定される（Ｓ１）。すなわち、募集要件決定手段３１により今回の懸賞に対する懸賞期間及び懸賞資格が決定される。そして、決定した募集要件に基づいて需要者２に対して懸賞の告知がされる（Ｓ２）。すなわち、ネットワーク１０を介して需要者２が保持する端末２０に対して懸賞付与サーバ３０から今回の懸賞に対する通知が行われる。このとき、懸賞の具体的な内容も通知するようにすればよい。
【００３８】
需要者２は、懸賞の告知に含まれる募集要件などに基づいて懸賞の応募をする（Ｓ３）。すなわち、需要者２の端末２０からネットワーク１０を介して懸賞付与サーバ３０に対して懸賞に対する応募がなされる。
【００３９】
そして、電力会社３の懸賞付与サーバ３０で需要者２からの懸賞の応募が受け付けられる（Ｓ４）。このとき、電力会社３が運営する懸賞に対する内容が掲載されたウェブ画面を閲覧する際に必要となる応募者ＩＤ及びパスワードを需要者２の端末２０に対して同時に付与するようにしてもよい。ここで、データベース３６において、懸賞に応募してきた需要者２に関する情報、応募者ＩＤ、及びパスワードなどが需要者情報として需要者２ごとに格納されて管理されることになる。
【００４０】
さらに、懸賞に応募してきた需要者２のメータ２１で検針される電力量が定期的に電力会社３の懸賞付与サーバ３０に対して通知される（Ｓ５）。ここでの電力量も、データベース３６において、需要者２ごとに格納されて管理されることになる。また、電力量は、例えば、日単位又は所定の時間帯毎などに定期的に通知されるようにしてもよい。
【００４１】
懸賞付与サーバ３０では、電力量取得手段３３が取得した電力量に基づいて、夜間使用率管理手段３４が需要者２ごとの夜間使用率を算出すると共に、その算出結果を懸賞に対する内容が掲載されたウェブ画面に掲載する（Ｓ６）。ここでの掲載方法としては、例えば、応募者である需要者２が端末２０に対する応募者ＩＤ及びパスワードの入力により自身の結果のみを閲覧できる手法としてもよいし、夜間使用率の結果が良い上位者のみの応募者ＩＤ及び使用率を各需要者２が比較できるように画面表示する手法としてもよいし、応募者全体の結果を応募者ＩＤ及び使用率で表示して各需要者２が現在どの辺であるかということを認識できるように画面表示する手法としてもよい。
【００４２】
そして、懸賞付与サーバ３０の夜間使用率管理手段３４は、算出された夜間使用率に基づいて需要者２ごとの夜間使用率をランキングとして管理して、そのランキングを各需要者２の端末２０に対して通知する（Ｓ７）。ここでのランキングは、日々の使用状況に応じて変化するものであるため、データベース３６において、算出された夜間使用率と共に需要者２ごとに格納されて管理される。
【００４３】
懸賞期間が経過した後、懸賞資格付与手段３５は、応募者である各需要者２の夜間使用率が所定の基準を超えているか否かを判断する（Ｓ８）。ここで、所定の基準を超えている場合（Ｓ８；Ｙｅｓ）には、該当する需要者２に対して懸賞資格が付与される（Ｓ９）。一方、所定の基準を超えていない場合（Ｓ８；Ｎｏ）には、該当する需要者２に対して他の処理が行われる（Ｓ１０）。ここでいう他の処理とは、例えば、その旨の通知としてお礼状を送付したり、アンケートの実施として需要者２の懸賞やサービスに対する要望などを受け付けるようにしたりすることが考えられる。なお、懸賞資格が付与された需要者２に対しても、上述したアンケートの実施をするようにしてもよい。このとき取得した各種情報なども、例えば、データベース３６において格納して管理することで、今後の懸賞や需要者２に対するサービスの資料に活用するようにしてもよい。
【００４４】
そして、懸賞資格が付与された需要者２に対して抽選が行われる（Ｓ１１）。ここでの抽選は、データベース３６に格納された懸賞資格が付与された需要者２に関する情報を抽出して、需要者２がランダム又は規則的に選定されることで行われる。そして、選定された需要者２に対して、例えば、郵送などにより懸賞が提供される（Ｓ１２）。
【００４５】
上述したように、本実施形態の懸賞付与システム１では、懸賞を活用することで、需要者２の夜間電力に対する使用意欲を促進させることができると共に、例えば、懸賞に応募した需要者２に対して実施するアンケートなどを今後のサービスの参考にすることで電力の使用に対するサービスを向上させることも可能となる。
【００４６】
（他の実施形態）
上述した実施形態では、需要者２として電化住宅を例示しているが、例えば、夜間電力が測定できるメータが設置された一般家庭や団地などの一定の設備に設置されて高圧一括受電されている家庭に対して実施されてもよい。この場合、一定の設備に設置されて高圧一括受電で供給される電力の使用電力量を計測する各子メータから各需要者２の電力量が自動的に取得される。これにより、例えば、電化住宅以外の家庭にも懸賞を利用して夜間電力の使用意欲を促進させるようなサービスを実施することができると共に、団地など一定の人数が集まる状況下を活用することで、各需要者２同士が協力しあって夜間電力に対する使用意識を促進させることも可能となる。
【図面の簡単な説明】
【００４７】
【図１】本発明の一実施形態に係る使用電力量に対する懸賞付与システムの概略構成を示す図である。
【図２】本発明の一実施形態に係る懸賞付与サーバ３０のシステム構成を示す図である。
【図３】本発明の一実施形態に係る懸賞付与システムの通信シーケンスを示す図である。
【符号の説明】
【００４８】
２  需要者
３  電力会社
１０ネットワーク
２０  端末
２１  メータ
３０  懸賞付与サーバ
３１  募集要件決定手段
３２  応募受付手段
３３  電力量取得手段
３４  夜間使用率管理手段
３５  懸賞資格付与手段
３６  データベース
【図１】
2007148929.tif 000003
【図２】
2007148929.tif 000004
【図３】
2007148929.tif 000005